(57)【特許請求の範囲】
【請求項１】
フード部を有するコネクタハウジングと、
前記コネクタハウジングの後端壁に貫通して装着された雄端子と、
を有し、
前記雄端子の雌端子との接続端が前記フード部内に突出すると共に、前記雄端子の基板との接続端が前記フード部と反対側に突出してなる基板用コネクタであって、
前記コネクタハウジングの後端壁には、前記雄端子が挿入される挿入孔が形成され、
該挿入孔の内側面には、前記雄端子の挿入方向と交差する方向に凹んだ端子係止用の凹部が形成され、
前記雄端子の側面には、前記挿入孔に対して所定位置まで雄端子を挿入した状態で、挿入方向と交差する方向に雄端子を変位させた際に、前記端子係止用の凹部に嵌まるストッパ突起が突設され、そして
前記コネクタハウジングの挿入孔の内側面には、前記ストッパ突起が前記係止用の凹部に嵌まる方向に向けて前記雄端子を押圧付勢する、可撓性を有したランスが設けられていること、を特徴とする基板用コネクタ。
【発明の詳細な説明】
【技術分野】
【０００１】
本発明は、プリント回路基板（ＰＣＢ）に取り付けて使用する基板用コネクタに関する。
【背景技術】
【０００２】
基板用コネクタは、一般的に、フード部を有するコネクタハウジングに雄端子を貫通させて装着し、その雄端子の雌端子との接続端をフード部内に突出させると共に、雄端子のプリント回路基板との接続端をＬ字形に屈曲させてフード部と反対側に突出させた構成をなしている。ここで、ハウジングは、雄端子を保持する機能と、相手コネクタとの嵌合を保持する機能と、基板にコネクタを固定する機能とを果たす。また、雄端子は、相手コネクタの雌端子と電気接続する機能と、基板との半田付けにより基板にコネクタを固定する機能と、基板の回路に電気接続する機能とを果たす。
【０００３】
コネクタハウジングへの雄端子の装着は、雄端子をフード部側またはその反対側から差し込むことによって行なわれるのであるが、このような装着方法では、雌端子との挿抜の際に、差込方向とは逆方向の大きな力が雄端子に作用すると、雄端子が抜けるおそれがあることから、雄端子の抜けを防止する必要がある。 
【０００４】
雄端子の抜け止めを講じた構成タイプとして、インサートタイプ（例えば、特許文献１参照）と圧入タイプ（例えば、特許文献２参照）とが主に知られている。
【０００５】
インサートタイプは、コネクタハウジングの成形時に雄端子をインサートしておくものであり、強固な端子抜け止め力を発揮できるものであるが、コストが高くつくという難点がある。そこで、安価なものが求められる場合は、圧入タイプが使用されている。
【０００６】
図７は圧入タイプの基板用コネクタの例を示す。このコネクタでは、ハウジング１の後端壁１ａに形成した貫通孔２に真っ直ぐな状態の雄端子３をフード部４側から圧入して、貫通孔２の内壁のストッパ５に雄端子３の両側縁の係止突起６が当接する所定の装着位置に至るまで雄端子３を押し込み、その後に、雄端子３のフード部４と反対側に突出した部分をＬ字形に下向きに屈曲させるという手順により、雄端子３の装着を行なっている。
【０００７】
このようにしてハウジング１に雄端子３を装着した状態においては、雄端子３は貫通孔２に圧入されているため、その貫通孔２の内壁面から雄端子３の表面に対して大きな押圧力が作用している。この押圧力により、雄端子３は、上下左右いずれの方向に対してもガタ付きを生じることなく一定の姿勢に保持されると共に、押圧により生じる摩擦抵抗によって、抜け方向の移動が阻止されている。
【０００８】
ところで、従来の圧入タイプの基板用コネクタでは、雄端子の圧入による摩擦抵抗によって、雄端子の抜け防止が行なわれているので、端子保持力が弱いという問題があった。また、雄端子の圧入時に、樹脂のバリが生じることがあった。
【０００９】
【特許文献１】実開昭６０−１８３３８０号公報
【特許文献２】特開平８−７９７１号公報
【発明の開示】
【発明が解決しようとする課題】
【００１０】
本発明は、上述した事情に鑑みてなされたものであり、組み付けが容易で安価に製造できると共に、端子保持力が強く、しかも、圧入タイプのようにバリを生じることがなく、品質の向上が図れる基板用コネクタを提供することにある。
【課題を解決するための手段】
【００１１】
前述した目的を達成するため、本発明に係る基板用コネクタは、下記（１）を特徴としている。
（１）  フード部を有するコネクタハウジングと、
前記コネクタハウジングの後端壁に貫通して装着された雄端子と、
を有し、
前記雄端子の雌端子との接続端が前記フード部内に突出すると共に、前記雄端子の基板との接続端が前記フード部と反対側に突出してなる基板用コネクタであって、
前記コネクタハウジングの後端壁には、前記雄端子が挿入される挿入孔が形成され、
該挿入孔の内側面には、前記雄端子の挿入方向と交差する方向に凹んだ端子係止用の凹部が形成され、
前記雄端子の側面には、前記挿入孔に対して所定位置まで雄端子を挿入した状態で、挿入方向と交差する方向に雄端子を変位させた際に、前記端子係止用の凹部に嵌まるストッパ突起が突設され、そして
前記コネクタハウジングの挿入孔の内側面には、前記ストッパ突起が前記係止用の凹部に嵌まる方向に向けて前記雄端子を押圧付勢する、可撓性を有したランスが設けられていること。
【００１２】
上記（１）の構成の基板用コネクタによれば、挿入孔の内側面に設けた端子係止用の凹部の段差分だけ、コネクタハウジングと雄端子の間に引っ掛かり代を確保することができるので、摩擦抵抗によって抜け止め力を確保する従来の圧入タイプと比べて、端子保持力を高くすることができる。また、雄端子の組み付けの際には、雄端子を挿入孔に対して所定位置まで挿入した状態で、挿入方向と交差する方向に雄端子を変位させるだけで、雄端子の側面に設けたストッパ突起を、挿入孔の内側面の端子係止用の凹部に嵌めることができる。また、その状態において、押圧付勢手段が雄端子を凹部側に押し付けるので、確実に凹部とストッパ突起の嵌まり合いを保持することができる。従って、治具などを使用せずに、組み付けが容易にでき、安価に製造できる。また、雄端子を圧入するものではないので、バリの発生のおそれもなく、品質の向上が図れる。
また、押圧付勢手段として、挿入孔の内側面にランスを設けたので、雄端子を挿入孔に挿入するだけで、ランスの付勢力によってストッパ突起を凹部に簡単に嵌め込むことができる。また、ハウジング側にランスを形成すればよいので、雄端子をシンプルな構成にすることができる。
【発明の効果】
【００１３】
本発明によれば、組み付けが容易で安価に製造できると共に、端子保持力が強く、しかも、圧入タイプのようにバリを生じることがなく、品質の向上が図れる基板用コネクタを提供できる。
【００１４】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１５】
以下、本発明の実施形態を図面を参照して説明する。
【００１６】
図１（ａ）〜（ｄ）は実施形態の基板用コネクタの構成図で、図１（ａ）は正面図、図１（ｂ）は図１（ａ）のＩｂ−Ｉｂ矢視図、図１（ｃ）は図１（ｂ）のＩｃ−Ｉｃ矢視断面図、図１（ｄ）は後面図である。図２（ａ）〜（ｃ）は雄端子の組み付け手順の説明用の側断面図、図３（ａ）〜（ｃ）は図２の（ａ）〜（ｃ）にそれぞれ対応させた図２（ａ）〜（ｃ）のＩＩＩ｛図２（ａ）に代表的に示される。｝矢視図、そして図４は雄端子とコネクタハウジング側の挿入孔の関係を示す斜視図である。
【００１７】
図１（ａ）〜（ｄ）に示されるように、この基板用コネクタは、フード部１１を有するコネクタハウジング１０と、コネクタハウジング１０の後端壁１２に貫通して装着された雄端子２０と、を有し、雄端子２０の雌端子との接続端２１がフード部１１内に突出すると共に、雄端子２０の基板との接続端２２がフード部１１と反対側に突出したものである。
【００１８】
コネクタハウジング１０の後端壁１２には、雄端子２０が挿入される挿入孔１３が形成され、挿入孔１３の内側面（即ち、挿入孔１３を画成するコネクタハウジング１０の内側面）には、雄端子２０の挿入方向と交差する方向（下側）に凹んだ端子係止用の凹部１４が形成されている。凹部１４には、図４に示すように、雄端子２０の挿入方向に直交する前側係止壁面１４ａと後側係止壁面１４ｂとが設けられている。
【００１９】
一方、矩形断面の雄端子２０の左右両側面には、挿入孔１３に対して所定位置まで雄端子２０を挿入した状態で、挿入方向と交差する方向（下側）に雄端子２０を変位させた際に、端子係止用の凹部１４に嵌まる一対の直方体形状のストッパ突起２３が突設されている。各ストッパ突起１４には、図４に示すように、雄端子２０の挿入方向に直交する前側突当面２３ａと後側突当面１４ｂとが設けられている。
【００２０】
図３（ａ）〜（ｃ）および図４に示すように、コネクタハウジング１０の挿入孔１３の後端入口はＴ字形をなしており、上側の幅広の開口は、雄端子２０の本体部２０ａとその左右両側のストッパ突起１４の全体を挿入できる幅に形成されている。また、下側の幅狭の開口は、雄端子２０の本体部２０ａのみが嵌まる幅に形成されている。そして、幅狭の開口の高さの位置の奥側に、ストッパ突起１４の嵌まる凹部１４が配置されている。後端入口から連なる断面Ｔ字形の空間は、凹部１４の前側係止壁面１４ａの位置まで続いており、その位置の突き当たりの壁が、ストッパ突起１４の挿入限を定めるストッパ壁１３ａとなっている。ストッパ壁１３ａは、雄端子２０の本体部２０ａの挿入される中央部を除く左右両側に形成されており、凹部１４の前側係止壁面１４と連続している。
【００２１】
また、挿入孔１３の内側面の天井部には、ストッパ突起２３が端子係止用の凹部１４に嵌まる方向（下側）に向けて雄端子２０を押圧付勢する可撓性のランス１５が、押圧付勢手段として設けられている。尚、符号１６で示す孔は、端子係止用の凹部１４を成形するための抜き孔である。
【００２２】
コネクタハウジング１０に雄端子２０を組み付けるには、図２（ａ）〜（ｃ）に示すように、雄端子２０をコネクタハウジング１０の後端の端子挿入孔１３から挿入する。雄端子２０を、ハウジング１０のストッパ壁１３ａに雄端子２０のストッパ突起２３が当たるまで挿入したら、その位置で挿入を止める。そうすると、ランス１５の付勢力により、雄端子２０が下向きに押圧され、雄端子２０が下側に変位してストッパ突起２３が凹部１４に嵌まる。この状態で、凹部１４の前側係止壁面１４ａとストッパ突起２３の前側突当面２３ａが対向し、凹部１４の後側係止壁面１４ｂとストッパ突起２３の後側突当面２３ｂが対向するので、雄端子２０は前後方向に移動しないように規制される。そして、この状態が、ランス１５の付勢力によって保持される。従って、どのような姿勢でも基板用コネクタを使用することができる。
【００２３】
この構造の場合、挿入孔１３の内側面に設けた端子係止用の凹部１４の段差（高さ）分だけ、コネクタハウジング１０と雄端子２０の間に引っ掛かり代を確保することができるので、摩擦抵抗によって抜け止め力を確保する従来の圧入タイプと比べて、端子保持力を高くすることができる。
【００２４】
また、雄端子２０の組み付けの際には、雄端子２０を挿入孔１３に対して所定位置まで挿入した状態で、挿入方向と交差する方向に雄端子２０を変位させる（本例ではランス１５の付勢力で自動的に変位する）だけで、雄端子２０の側面に設けたストッパ突起２３を、挿入孔１３の内側面の端子係止用の凹部１４に嵌めることができる。また、その状態において、ランス１５が雄端子２０を凹部１４側に押し付けるので、確実に凹部１４とストッパ突起２３の嵌まり合いを保持することができる。従って、治具などを使用せずに、組み付けが容易にでき、安価に基板用コネクタを製造できる。また、雄端子２０を圧入するタイプではないので、バリの発生のおそれもなく、品質の向上が図れる。
【００２５】
また、ランス１５の付勢力によってストッパ突起２３を凹部１４に嵌め込むので、組み付けの際に雄端子２０を挿入孔１３に挿入するだけでよい。また、このようにコネクタハウジング１０側にランス１５を形成するだけでよいので、雄端子２０に無用な形状を付加する必要がなく、雄端子２０側の構成をシンプルにすることができる。
【００２６】
尚、本発明は、前述した実施形態に限定されるものではなく、適宜、変形、改良、等が可能である。その他、前述した実施形態における各構成要素の材質、形態、数、配置箇所、等は本発明を達成できるものであれば任意であり、限定されない。
【００２７】
上記実施形態では、コネクタハウジング１０側に、押圧付勢手段としてのランス１５を設けた場合を説明したが、図５に示すように、雄端子２０Ｂの本体部２０ａに、例えば、円弧状に湾曲したバネ部２７を、押圧付勢手段として設けても、同様の付勢作用を得ることができる。この場合は、コネクタハウジング１０にランス１５を設ける場合と違い、コネクタハウジング１０側の成形コストの抑制に貢献することができる。
【００２８】
また、図６に示すように、バネ部２８を雄端子２０Ｃのストッパ突起２３上に設けることもできる。このバネ部２８は、図６のように片側だけ設けてもよいが、両側に設けてもよい。
【００２９】
また、ストッパ突起２３についても、両側に設けるのがバランス的にはよいが、スペースの関係で片側だけに設けてもよい。
【図面の簡単な説明】
【００３０】
【図１】本発明の実施形態の基板用コネクタの構成図で、（ａ）は正面図、（ｂ）は（ａ）のＩｂ−Ｉｂ矢視図、（ｃ）は（ｂ）のＩｃ−Ｉｃ矢視断面図、（ｄ）は後面図である。
【図２】（ａ）〜（ｃ）は雄端子の組み付け手順の説明用の側断面図である。
【図３】（ａ）〜（ｃ）は図２の（ａ）〜（ｃ）にそれぞれ対応させた図２のＩＩＩ矢視図である。
【図４】本実施形態における雄端子とコネクタハウジング側の挿入孔の関係を示す斜視図である。
【図５】雄端子側に押圧付勢手段としてのバネ部を設けた例を示す斜視図である。
【図６】バネ部をストッパ突起上に設けた例を示す斜視図である。
【図７】従来例の説明図である。
【符号の説明】
【００３１】
１０：コネクタハウジング
１１：フード部
１２：後端壁
１３：挿入孔
１４：凹部
１５：ランス
２０：雄端子
２１：雌端子との接続端
２２：基板との接続端
２３：ストッパ突起
２７，２８：バネ部
【図１】
0004846431.tif 000002
【図２】
0004846431.tif 000003
【図３】
0004846431.tif 000004
【図４】
0004846431.tif 000005
【図５】
0004846431.tif 000006
【図６】
0004846431.tif 000007
【図７】
0004846431.tif 000008